(57)【特許請求の範囲】
【請求項１】
一方がアームレスト（５）に固定され、他方がシート（１）に固定される剛性のある円筒状の支持軸（７）および剛性のあるハウジング（８）と、前記支持軸から横方向に突出する少なくとも１つのロック部材（１６）とを有し、
前記ハウジング（８）が中心軸線（Ｘ）に沿ってある距離にわたって延び、前記ハウジングが、
後端部と、開いていて前記支持軸（７）を受け入れるようになっている前端部の間を前記中心軸線（Ｘ）に沿って延びており、前記支持軸が取り付けられつつある間前記支持軸が前記中心軸線（Ｘ）のまわりを回転できるようにする筒状の管（２５）を有する、プラスチック材料のリング（２４）であって、前記支持軸が前記ハウジングに一旦取り付けられると、前記支持軸（７）と前記ハウジング（８）の間の相対的なピボット運動を防止するために前記支持軸の前記ロック部材（１６）を受け入れ、前記ロック部材と接触によって協働するようになっている、後方が開いている固定用のくぼみ（３３）をさらに有するプラスチック材料のリング（２４）と、
前記プラスチック材料のリングの前記筒状の管（２５）と接触して前記プラスチック材料のリング（２４）を囲む金属製の補強用の強化部材（９）と、
前記支持軸（７）を前記筒状の管（２５）に入れるときに前記支持軸を前方に押し出すようになっている戻しばね（２３）と
を有している、可動式アームレスト用の固定装置において、
前記プラスチック材料のリングの前記筒状の管（２５）は前記支持軸（７）を前記ハウジング（８）の長さの大部分にわたって隙間なく受け入れることによって協働するようになっており、前記筒状の管は、前記筒状の管（２５）の前端部に開いている、開いている前端部（３１ａ）と閉じられている後端部（３１ｂ）との間に延びる少なくとも１つの軸線方向のスロット（３１）を有し、前記プラスチック材料のリングの前記筒状の管（２５）は、前記軸線方向のスロットの前記後端部（３１ｂ）に通じている第１の端部と前記固定用のくぼみ（３３）に通じている第２の端部との間を延びる少なくとも１つの周方向のスロット（３２）をさらに有しており、前記軸線方向および周方向のスロット（３１、３２）は、前記支持軸（７）が前記ハウジング（８）に取り付けられるときに前記支持軸の前記ロック部材（１６）を受け入れるようになっており、
前記金属製の強化部材（９）は、前記支持軸（７）と前記ハウジング（８）の間の前記中心軸線のまわりの相対的なピボット運動を防止するために、前記支持軸（７）の前記ロック部材（１６）が前記ハウジング（８）の固定用のくぼみ（３３）にあるときに前記ロック部材（１６）と接触することによって前記ロック部材と協働するようになっていることを特徴とする、可動式アームレスト用の固定装置。
【請求項２】
前記ハウジングの前記金属製の強化部材（９）は、前記筒状の管（２５）を囲む環状の側壁（１０）と、前記筒状の管の前端部において前記側壁から半径方向内向きに延びている環状の前壁（１１）とを有しており、前記前壁は、前記プラスチック材料のリングの前記少なくとも１つの軸線方向のスロット（３１）と対応し、前記支持軸の前記ロック部材（１６）を通せる少なくとも１つの第１の切欠き部（１４）を含み、前記前壁は、前記筒状の管（２５）に半径方向に支えられる折り曲げられた補強用タブ（１７、１８）によって軸線方向後方に延ばされており、前記タブ（１７、１８）の少なくとも１つは、前記支持軸と前記ハウジングとの間の、少なくとも一方の角度方向への前記中心軸線のまわりの相対的ピボット運動を防止するように、前記ロック部材が前記ハウジングの前記固定用のくぼみ（３３）内にあるときに前記支持軸の前記ロック部材（１６）と接触することによってこれと協働する、請求項１に記載の可動式アームレスト用の固定装置。
【請求項３】
前記補強用タブ（１７、１８）は、前記プラスチック材料のリング（２４）と前記金属製の強化部材（９）の間の相対的なピボット運動を防止するように、前記筒状の管（２５）の外側に形成された、前記補強用のタブに対応する軸線方向の縦の溝（３６）にはめ込まれる、請求項２に記載の可動式アームレスト用の固定装置。
【請求項４】
前記補強用のタブ（１７、１８）の各々が、前記中心軸線（Ｘ）と平行な第１および第２の縦方向の縁端（１７ａ、１８ａ；１７ｂ、１８ｂ）を有し、前記補強用タブ（１７、１８）の少なくとも第１のものは、周方向に傾くように、かつその第１の縦方向の縁端（１７ａ、１８ａ）からその第２の縦方向の縁端（１７ｂ、１８ｂ）まで第１の角度方向（５ａ）に半径方向内向きに延びており、前記第１の補強用タブの前記第１の縦方向の縁端（１７ａ、１８ａ）は、前記プラスチック材料のリングに前記第１の角度方向と逆の第２の角度方向（５ｂ）に前記金属製の強化部材に対してピボット運動をさせないために、前記筒状の管の対応する前記軸線方向の溝（３６）によって形成された縁端（３６ｂ）と接触することによってこの縁端と協働し、前記補強用タブ（１７、１８）の少なくとも第２のものは、周方向に、かつその第１の縦方向の縁端（１７ａ、１８ａ）からその第２の縦方向の縁端（１７ｂ、１８ｂ）まで周方向および前記第２の角度方向（５ｂ）に半径方向内向きに延びており、前記第２の補強用タブの第２の縦方向の縁端は、前記プラスチック材料のリング（２４）に前記第１の角度方向（５ａ）に前記金属製の強化部材（９）に対してピボット運動をさせないために、前記筒状の管の前記対応する軸線方向の溝（３６）によって形成された縁端（３６ｂ）と接触することによってこの縁端と協働する、請求項３に記載の可動式アームレスト用の固定装置。
【請求項５】
前記プラスチック材料のリングは前記筒状の管（２５）の前端部に向かって半径方向に延びるフランジ（２６）を有し、前記フランジは、前記支持軸が前記ハウジング内に取り付けられている間前記少なくとも１つのロック部材を受け入れる、前記金属製の強化部材の前記前壁の前記第１の切欠き部（１４）と対応する少なくとも１つの切欠き部（３０）を含む、請求項２から４のいずれか１項に記載の可動式アームレスト用の固定装置。
【請求項６】
前記固定用のくぼみは、前記プラスチック材料のリングの前記筒状の管（２５）に形成され、前記周方向のスロット（３２）の前記第２の端部から前記プラスチック材料のリングの前記フランジ（２６）まで軸線方向に前方に延びている切欠き部（３３）によって形成され、前記金属製の強化部材の前記前壁（１１）は、前記支持軸（７）が前記ハウジング（８）内に取り付けられるときに前記支持軸（７）の前記ロック部材（１６）を受け入れる、前記切欠き部（３３）と面している少なくとも１つの第２の切欠き部（１５）を有し、前記第２の切欠き部は、前記支持軸と前記ハウジングの間の相対的なピボット運動を防止するために、前記ロック部材（１６）と接触することによって前記ロック部材と角度方向に協働するようになっているほぼ半径方向の２つの縁端（１５ａ、１５ｂ）を有している、請求項５に記載の可動式アームレスト用の固定装置。
【請求項７】
前記プラスチック材料のリングの前記フランジ（２６）は、前方が閉じられていて後方が開いている、前記金属製の強化部材の前記第２の切欠き部（１５）に面している半径方向の溝（３４）を有しており、前記支持軸の前記ロック部材（１６）は、前記支持軸が前記ハウジングに取り付けられているときに前記半径方向の溝（３４）に部分的にはまるようになっている、請求項６に記載の可動式アームレスト用の固定装置。
【請求項８】
前記金属製の強化部材（９）は、前記金属製の強化部材の前記側壁（１０）に取り付けられ、前記側壁から、前記筒状の管（２５）の後端部に半径方向に支えられている円筒状のカラー（２２）まで半径方向内向きに延びる環状の端壁（１９）を有する、請求項１から７のいずれか１項に記載の可動式アームレスト用の固定装置。
【請求項９】
前記戻しばね（２３）は、前記金属製の強化部材の前記端壁（１９）に支えられるように前記プラスチック材料のリングの前記筒状の管（２５）のまわりに配置され、前記戻しばねは前記ロック部材（１６）を前方に押し出すようになっている圧縮コイルばねである、請求項８に記載の可動式アームレスト用の固定装置。
【請求項１０】
シート（１）と、請求項１から９のいずれかに記載の固定装置（７、８）によって前記シートに取り付けられるようになっている可動式アームレスト（５）とを有し、前記ハウジング（８）が、前記シートと前記可動式アームレストとから選択される第１の要素に固定され、前記支持軸（７）が、前記可動式アームレストと前記シートとから選択される第２の要素に固定されているシート装置。
【発明の詳細な説明】
【０００１】
【発明の属する技術分野】
本発明は、可動式アームレスト用の固定装置と、そのような固定装置を含むシート装置に関する。
【０００２】
特に、本発明は、
一方がアームレストに固定され、他方がシートに固定される剛性のある円筒状の支持軸および剛性のあるハウジングと、支持軸から横方向に突出する少なくとも１つのロック部材とを有し、
ハウジングが中心軸線に沿ってある距離にわたって延び、このハウジングが、
後頭部と、開いていて支持軸を受け入れるようになっている前端部の間を中心軸線に沿って延びており、支持軸が取り付けられるつつある間支持軸が中心軸線のまわりを回転できるようにする円筒形の筒状の菅を有するプラスチック材料のリングであり、支持軸がハウジングに一旦取り付けられると、支持軸とハウジングの間の相対的なピボット運動を防止するために支持軸のロック部材を受け入れ、ロック部材と接触によって協働するようになっている、後方が開いており固定用のくぼみも有するプラスチック材料のリングと、
前記プラスチック材料のリングの筒状の管と接触してプラスチック材料のリングを囲む金属製の補強用の強化部材と、
支持軸を筒状の管に入れるときに支持軸を前方に押し出すようになっている戻しばねと、
を有する、可動式アームレスト用の固定装置に関するものである。
【０００３】
【従来の技術】
フランス特許出願公開明細書第２  ７８９  １４２号には、固定用ハウジングがプラスチック材料のリングですべて形成されている固定装置の例が記載されている。
【０００４】
【発明が解決しようとする課題】
この固定装置は完全な満足を与えるものであるが、それにもかかわらず、中心にあるプラスチック材料のリングが使用時に過酷な応力を受ける危険があり、それによって支持軸とハウジングの間に大きな回転トルクがかかった場合に前記中心リングが劣化する可能性がある、という欠点がある。また、支持軸は、プラスチック材料のリング上のリブに、リブの長さ方向の小さな摩擦によって支えられており、それによってアームレスト取付部の機械的強度が制限される。
【０００５】
本発明の目的は特にこの欠点を緩和しようとするものである。
【０００６】
【課題を解決するための手段】
この目的のために、本発明は、
プラスチック材料のリングの筒状の管は支持軸をハウジングの長さの大部分にわたって隙間なく受け入れることによって協働するようになっており、筒状の管は、筒状の管の前端部で開いている、開いている前端部と閉じられている後端部との間に延びる少なくとも１つの軸線方向のスロットを有し、プラスチック材料のリングの筒状の管が、軸線方向のスロットの後端部に通じている第１の端部と固定用のくぼみに通じている第２の端部との間に延びる少なくとも１つの周方向のスロットをさらに有しており、軸線方向および周方向のスロットは、支持軸がハウジングに取り付けられるときに支持軸のロック部材を受け入れるようになっており、
金属製の強化部材は、支持軸とハウジングの間の中心軸線のまわりの相対的なピボット運動を防止するために、支持軸のロック部材がハウジングの固定用のくぼみにあるときにロック部材と接触することによってこのロック部材と協働することを特徴とする、当該種類の固定装置を提供する。
【０００７】
これらの構成により、支持軸がプラスチック材料のリングの筒状の管によって十分に支えられ、管自体が金属製の強化部材によって補強される。また、支持軸がハウジングに取り付けられるときに、回転トルクがプラスチック材料のリングに殆んど応力を及ぼさないように、金属製の強化部材が支持軸とハウジングとの間の回転トルクを吸収する。
【０００８】
本発明の好適な実施態様では、１つまたは複数の下記の構成を任意に使用できる。
【０００９】
ハウジングの金属製の強化部材は、筒状の管を囲む環状の側壁と、筒状の管の前端部において側壁から半径方向内向きに延びている環状の前壁とを有しており、前壁は、プラスチック材料のリングの前記少なくとも１つの軸線方向のスロットと対応し、支持軸のロック部材を通せる少なくとも１つの第１の切欠き部を含み、前壁は、筒状の管に半径方向に支えられる折り曲げられた補強用タブによって軸線方向後方に延ばされており、少なくとも１つのタブは、支持軸とハウジングとの間の、少なくとも一方の角度方向への中心軸線のまわりの相対的ピボット運動を防止するように、前記ロック部材がハウジングの固定用のくぼみ内にあるときに支持軸の前記ロック部材と接触することによってこれと協働する。
【００１０】
補強用タブは、プラスチック材料のリングと金属製の強化部材の間の相対的なピボット運動を防止するように、筒状の管の外側に形成された、補強用のタブに対応する軸線方向の縦の溝にはめ込まれる。
【００１１】
補強用のタブの各々が、中心軸線と平行な第１および第２の縦方向の縁端を有し、前記補強用タブの少なくとも第１のものは、周方向に傾くように、かつその第１の縦方向の縁端からその第２の縦方向の縁端まで第１の角度方向に半径方向内向きに延びており、第１の補強用タブの第１の縦方向の縁端は、プラスチック材料のリングに第１の角度方向と逆の第２の角度方向に金属製の強化部材に対してピボット運動させないために、筒状の管の対応する軸線方向の溝によって形成される縁端と接触することによってこの縁端と協働し、前記補強用タブの少なくとも第２のものは、周方向に、かつその第１の縦方向の縁端からその第２の縦方向の縁端まで周方向および前記第２の角度方向に半径方向内向きに延びており、前記第２の補強用タブの第２の縦方向の縁端は、プラスチック材料のリングに第１の角度方向に金属製の強化部材に対してピボット運動させないために、筒状の管の対応する軸線方向の溝によって形成された縁端と接触することによってこの縁端と協働する。
【００１２】
プラスチック材料のリングは筒状の管の前端部に向かって半径方向に延びるフランジを有し、該フランジは、支持軸がハウジング内に取り付けられるときに前記少なくとも１つのロック部材を受け入れる、金属製の強化部材の前壁の第１の切欠き部と対応する少なくとも１つの切欠き部を含む。
【００１３】
固定用のくぼみは、プラスチック材料のリングの筒状の管に形成され、周方向のスロットの第２の端部から前記プラスチック材料のリングのフランジまで軸線方向に前方に延びている切欠き部によって形成され、金属製の強化部材の前壁は、前記支持軸がハウジング内に取り付けられるときに支持軸のロック部材を受け入れ、前記切欠き部と面している少なくとも１つの第２の切欠き部を有し、前記第２の切欠き部は、支持軸とハウジングの間の相対的なピボット運動を防止するために前記ロック部材と接触することによってロック部材と角度方向に協働するようになっているほぼ半径方向の２つの縁端を有している。
【００１４】
プラスチック材料のリングのフランジは、前方が閉じられていて後方が開いている、金属製の強化部材の第２の切欠き部に面している半径方向の溝を有しており、支持軸のロック部材は、前記支持軸がハウジングに取り付けられているときに半径方向の溝に部分的にはまるようになっている。
【００１５】
金属製の強化部材は、前記金属製の強化部材の側壁に取り付けられ、前記側壁から、筒状の管の後端部に半径方向に支えられている円筒状のカラーまで半径方向内向きに延びる環状の端壁を有する。
【００１６】
戻しばねが金属製の強化部材の端壁に支えられるようにプラスチック材料のリングの筒状の管のまわりに配置され、前記戻しばねはロック部材を前方に押し出すようになっている圧縮コイルばねである。
【００１７】
また、本発明は、シートと、前述の固定装置によってシートに取り付けられるようになっている可動式アームレストとを有し、ハウジングが、シートと可動式アームレストとから選択される第１の要素に固定され、支持軸が、可動式アームレストとシートとから選択される第２の要素に固定されているシート装置を提供するものでもある。
【００１８】
【発明の実施の形態】
次に、本発明の実施の形態について図面を参照して説明する。
【００１９】
種々の図面において、同じ参照符号は同一または類似の部品を示す。
【００２０】
図１は、自動車のフロア３に取り付けられているシート本体２と、シート本体２に支えられている背もたれ４とを有する自動車用シート１を示す。
【００２１】
背もたれ４は少なくともその側面の一方に、使用時の、下に折り曲げられた位置（図１において連続線で示されている）と、背もたれ４の側面に引っ込められた、上に折り曲げられた位置（図１において鎖線で示されている）との間を横方向の水平な回転軸線Ｘのまわりでピボット運動するように取り付けられている可動式アームレスト５を有する。
【００２２】
図２と３に示されているように、例えばプラスチック材料または金属で作られている、アームレスト５の剛性のある強化部材５ｃが、例えば金属で作られ、回転軸線Ｘに沿って延び、背もたれ４に取り付けられた固定されたハウジング８に、取り外せるように取り付けられている円筒状の支持軸７に調節機構６を介して連結されている。
【００２３】
このヒンジ機構６は、例えば、前述のフランス特許出願公開明細書第２  ７８９  １４２号に記載されているタイプのものであってもよいし、フランス特許出願公開明細書第２  ６８６  ３８３号に記載されているタイプのものであってもよい。いずれも場合も、アームレスト５はその持上げ位置に向かって５ａの方向に自由にピボット運動できるが、ユーザがアームレスト５に肘をかけているときは５ｂの方向に所定の位置に固定されたままとなり、アームレスト５は、その持上げ位置からその引下げ位置に向かって自由にピボット運動できる。
【００２４】
しかしながら、本発明がこの種のヒンジ機構６に限定されるものでないことに注意すべきである。特に、本発明は、持上げ位置と引下げ位置との間で両方向に自由にピボット運動させる役目をするヒンジ機構６と組み合わせて使うことも可能である。同様に、本発明は、ヒンジ機構６を支持軸７とアームレスト５の強化部材５ｃの間にはさむことなくアームレスト５の強化部材５ｃに直接取り付けられる支持軸７と組み合わせて使用することもできる。
【００２５】
図３から詳細にわかるように、固定されたハウジング８は、回転軸線Ｘを中心とする円筒状の側壁１０をそれ自体が有する剛性のある金属製の強化部材９を有する。
【００２６】
円筒状の側壁１０は、側壁１０と一体に形成され、回転軸線Ｘを中心とする円形の中心穴があいている前壁１１によって半径方向内側に延ばされ、アームレスト５に近い前端部と、それ自体が側壁１０と一体に形成されている外向きのフランジ１３によって半径方向外側に延ばされている、アームレスト５から遠い後端部との間を軸線Ｘに沿って延びている。
【００２７】
直径方向に向き合う２つの第１の切欠き部１４が剛性のある金属製の強化部材９の前壁１１に形成されており、この切欠き部１４は中心穴１２から半径方向外向きに延びており、また、同様に直径に沿って向き合う２つの第２の切欠き部１５もそこに形成されており、第２の切欠き部１５は第１の切欠き部１４に対して約３０°ずれている。
【００２８】
第１および第２の切欠き部１４および１５は２つのロック部材１６を通すようになっており、ロック部材１６は、例えば、アームレスト５の支持軸７の両側から半径方向に突出する（然るべき場合には、支持軸７を貫通する剛性のある金属製の１本のロッドからなる２つの端部で形成された）直径方向に向き合う２つのロックピンによって構成されており、これらロックピンのうち１つだけが図３に見ることができる。
【００２９】
また、剛性のある金属製の強化部材９の前壁１１も、軸線Ｘと平行にハウジング８の内側に向かって折り曲げられた４つのタブ１７、１８と一体に形成されている。
【００３０】
剛性のある金属製の強化部材９は、外向きのフランジ１３に、特に溶接で固定された半径方向の壁２０を有する剛性のある金属製の端壁１９も有しており、半径方向の壁２０は中心穴２１があいており、軸線Ｘを中心とする円筒状のカラー２２によって中心穴２１から軸方向に前方に延ばされている。
【００３１】
また、ハウジング８は、側壁１０の内側に配置され、端壁１９と金属の強化部材９の前壁１１に支えられている、戻しばねである圧縮コイルばね２３を含んでおり、この圧縮コイルばね２３は、端壁１９の円筒状のカラー２２と前壁１１の折り曲げられたタブ１７および１８を囲んでいる。
【００３２】
最後に、ハウジング８は、ほぼ円筒状で軸線Ｘを中心とする筒状の管２５を備えたプラスチック材料のリング２４も有しており、この筒状の管２５は金属製の強化部材９の前壁１１の中心穴１２に隙間なく受け入れられる。
【００３３】
筒状の管２５は後端部と、筒状の管２５と一体に形成されたフランジ２６によって半径方向外向きに延ばされている前端部の間を軸線Ｘと平行に延びており、フランジ２６は金属製の強化部材９の前壁１１を覆って、フランジ２６を貫通し、かつ前壁１１に形成されたオリフィス２８に入り込むリベット２７または他の固定部材によって前壁１１に固定されている。
【００３４】
図３と４に示されているように、プラスチック材料のリング２４のフランジ２６は、支持軸７とハウジング８が一緒に組立てられるときに支持軸７の肩部７ａを受け入れる円形のくぼみ２９を有し、フランジ２６は、軸線Ｘの片側に位置し筒状の管２５の内側に向かって半径方向に開いている、直径方向に向き合う、２つの切欠き部３０も有する。
【００３５】
プラスチック材料のリング２４の２つの切欠き部３０は、支持軸７が筒状の管２５にはめ込まれるときに、支持軸７に取り付けられたピン（ロック部材）１６が切欠き部３０および１４を同時に通過できるように、金属製の強化部材９の切欠き部１４に対応するように配置されている。
【００３６】
また、各切欠き部３０は、筒状の管２５に形成された軸線方向のスロット３１と通じており、軸線方向のスロット３１は、切欠き部３０の中に前方に開いている第１の端部３１ａと、軸方向に後方が閉じられている後端部３１ｂとの間を軸線Ｘと平行に延びている。
【００３７】
後端部３１ｂは、軸線方向のスロット３１の後端部３１ｂと通じている第１の端部と、筒状の管２５内に形成され、半径方向のスロット３２の第２の端部から軸線方向に前方に延び、したがって前方が開いていて、後方がプラスチック材料のリング２４のフランジ２６によって閉じられている固定用のハウジングを形成する第２の端部との間の半径平面内を角度方向５ｂに周方向に延びている半径方向のスロット３２と通じている。
【００３８】
プラスチック材料のリング２４のフランジ２６の背面は、金属製の強化部材９の切欠き部１５の一方と対応するように配置された半径方向の溝３４を、筒状の管２５の各切欠き部３３と位置が合った状態で含むこともでき、各溝３４および対応する切欠き部１５は支持軸７がハウジング８内に取り付けられるときに支持軸７のピン１６を受け入れることが有利である。
【００３９】
また、筒状の管２５の円筒状の内面は、支持軸７の円柱状の外面に隙間なく支えられる軸線方向の細いリブ３５を含むのが有利であり、それにより、支持軸７がハウジング８に組付けられつつある間支持軸７とプラスチック材料のリング２４との間の摩擦を抑える。
【００４０】
最後に、プラスチック材料のリング２４の外面は、半径方向の各スロット３２の片側に２つずつ配置された軸線方向の４つの溝３６を含んでおり、溝３６の各々は、周方向のスロット３２から比較的遠くにある、筒状の管２５の円柱状外面に配置された、第１の縦方向の縁端３６ａから、対応する半径方向のスロット３２の近傍に位置する第２の縦方向の縁端３６ｂに向かって半径方向の深さが増す溝になっている。
【００４１】
図５と図６でわかるように、溝３６にはめ込まれる金属製の強化部材９の折り曲げられたタブ１７および１８は、プラスチック材料のリング２４の一方の周方向のスロット３２の両側に配置された比較的長い、一方の対の折り曲げられたタブ１８と、プラスチック材料のリング２４の他方の周方向のスロット３２の両側に配置された比較的短い、他方の対の折り曲げられたタブ１７として構成されている。
【００４２】
折り曲げられたタブ１７、１８のそれぞれは、対応する溝３６の縦方向の縁端３６ａと合うように配置された第１の縦方向の縁端１７ａ、１８ａと、第１の縁端１７ａ、１８ａよりも軸線Ｘに近い第２の縦方向の縁端１７ｂ、１８ｂとの間を半径方向内向きに傾いており、少なくとも第２の縦方向の縁端１７ｂ、１８ｂは、プラスチック材料のリング２４を金属製の強化部材９に対して回転させないように管２５を半径方向に押し、対応する溝３６の第２の縦方向の縁端３６ｂと接する。
【００４３】
前述の装置は次のように作動する。
【００４４】
シート１のユーザが可動式アームレスト５をシート１の側面に収めようとすると、アームレスト５の支持軸７が筒状の管２５の前端部からプラスチック材料のリング２４の筒状の管２５内に挿入され、そのため支持軸７が筒状の管２５に隙間なく受け入れられる。
【００４５】
この動きの間、支持軸７のロックピン１６はプラスチック材料のリング２４の切欠き部３０にはまり、同時に金属製の強化部材９の第１の切欠き部１４にもはまり、その後、ピン１６はプラスチック材料のリング２４のスロット３１の後端部に達するまでプラスチック材料のリング２４の軸線方向のスロット３１に入り込む。この動きの間、ロックピン１６は、プラスチック材料のリング２４の軸線方向のスロット３１だけでなく、金属製の強化部材９の２つの第１の切欠き部１４にそれぞれ隣接する折り曲げられた金属製のタブ１７および１８の縁端１７ｂ、１８ｂによっても案内される。
【００４６】
また、この動きの間、ピン１６はコイルばね２３の前端部に支えられることになり、それによってばね２３を圧縮する。
【００４７】
ピン１６がプラスチック材料のリング２４の軸線方向のスロット３２の後端部３１ｂに近づくと、ユーザは支持軸７を５ｂの方向にピボット運動させ、それによってピン１６が周方向のスロット３２に沿って周方向のスロット３２の第２の端部まで完全に移動し、その後、ばね２３は、ロックピン１６がプラスチック材料のリング２４のフランジ２６の後面に形成された半径方向の溝３４に入るまで、ロックピン１６をプラスチック材料のリング２４の切欠き部３３内に押し戻す。
【００４８】
したがって、図７および図８からわかるように、アームレスト５の支持軸７はその長さの大部分にわたって隙間なくプラスチック材料のリング２４の筒状の管２５の内側にはめ合わされるので、背もたれ４に確実に固定される。この筒状の管２５は、後端部が、隙間なく受け入れられる金属製の強化部材９の円筒状のカラー２２によって、前端部が、それぞれの縦方向の縁端１７ｂ、１８ｂを介して筒状の管２５とそれぞれが接する金属製の強化部材９のタブ１７および１８によって、しっかりと支持されている。
【００４９】
また、ロックピン１６がプラスチック材料のリング２４の切欠き部３３にはめ込まれるだけでなく、各ロックピン１６が金属製の強化部材９の対応する第２の切欠き部１５の半径方向の縁端１５ｂならびに折り曲げられた対応するタブ１７、１８の縦方向の縁端１７ｂ、１８ｂ（図５および図６参照）と接する、角度方向５ｂと、アームレスト５の持ち上げ方向と一致し、力のレベルが全般により低く、各ロックピン１６が対応する第２の切欠き部１５の他方の縁端１５ａと接する、反対の角度方向５ａの両角度方向で金属製の強化部材９と接触することによって協働するので、支持軸７は、軸線Ｘのまわりを回転するのが非常に強く阻止される。
【図面の簡単な説明】
【図１】本発明の実施形態を構成する固定装置を用いて取り付けられた可動式アームレストを備えたシートの概略図である。
【図２】図１のアームレスト固定装置を示す斜視図である。
【図３】図２の固定装置の分解斜視図である。
【図４】図２および３の固定装置に属するプラスチック材料のカラーの斜視図である。
【図５】図３および３の固定装置の金属製の強化部材の切取斜視図である。
【図６】図３の矢印ＶＩに沿って見たときに見える、図５の金属製の強化部材の正面図である。
【図７】取り付けられた形態の固定装置を示す、図６の線ＶＩＩ−ＶＩＩについての断面図である。
【図８】取り付けられた形態の固定装置を示す、図６の線ＶＩＩＩ−ＶＩＩＩについての断面図である。
【符号の説明】
１  自動車用シート
２  シート本体
３  フロア
４  背もたれ
５  可動式アームレスト
５ａ、５ｂ  角度方向
５ｃ  強化部材
６  調節機構
７  支持軸
７ａ  肩部
８  ハウジング
９  強化部材
１０  側壁
１１  前壁
１２  中心穴
１３    フランジ１３
１４  第１の切欠き部
１５  第２の切欠き部
１６  ロック部材（ロックピン）
１７  タブ
１７ａ  第１の縦方向の縁端
１７ｂ  第２の縦方向の縁端
１８  タブ
１８ａ  第１の縦方向の縁端
１８ｂ  第２の縦方向の縁端
１９  端壁
２０  半径方向の壁
２１  中心穴
２２  カラー
２３  圧縮コイルばね（戻しばね）
２４  リング
２５  管
２６  フランジ
２７  リベット
２８  オリフィス
２９  くぼみ
３０  切欠き部
３１  軸線方向のスロット
３１ａ  第１の端部
３１ｂ  後端部
３２  半径方向のスロット
３３  切欠き部
３４  半径方向の溝
３５  リブ
３６  軸線方向の溝
３６ａ  第１の縁端
３６ｂ  第２の縁端
３７  軸線方向の溝
【図１】
0003604371.tif 000002
【図２】
0003604371.tif 000003
【図３】
0003604371.tif 000004
【図４】
0003604371.tif 000005
【図５】
0003604371.tif 000006
【図６】
0003604371.tif 000007
【図７】
0003604371.tif 000008
【図８】
0003604371.tif 000009